(57)【要約】【課題】クライアント端末を使用するユーザが利用することができる電子機器の機能を、一元的に管理することができる電子機器制御システム及びサーバを提供する。【解決手段】ユーザアカウント、制限機能情報、代替機能情報をそれぞれ対応付けて記憶する制限情報記憶手段１８を有する。また、ユーザアカウントと、印刷設定情報とをクライアント端末から受信し、ユーザアカウントが制限情報記憶手段１８に記憶されているか否かについて検索し、ユーザアカウントが検出された場合に、印刷設定情報で指定される機能が、制限情報記憶手段１８に制限機能情報として記憶されているか否かについて判定し、制限情報記憶手段１８に制限機能情報として記憶されていると判定された場合に、設定情報を代替機能情報に変更する印刷設定変更手段１６を有する。また、印刷設定変更手段１６により設定された代替機能情報をプリンタに対して送信する印刷情報送信手段１９を有する。【選択図】図２
2006172094.tif 000002
【特許請求の範囲】
【請求項１】
サーバとクライアント端末と電子機器がネットワークに接続される電子機器制御システムであって、
前記サーバに設けられ、前記クライアント端末を利用するユーザを識別するためのユーザアカウントと、前記電子機器の機能の使用を制限するための制限機能情報と、前記制限機能情報により制限される機能の代わりに使用する機能についての代替機能情報と、をそれぞれ対応付けて記憶する制限情報記憶手段と、
前記クライアント端末に設けられ、ユーザアカウントと、前記電子機器を利用する際に使用する機能を指定する設定情報とを、前記サーバに対して送信する第１の情報送信手段と、
前記サーバに設けられ、前記第１の情報送信手段が送信した前記ユーザアカウントが前記制限情報記憶手段に記憶されているか否かについて検索する検索手段と、
前記サーバに設けられ、前記検索手段により前記ユーザアカウントが検出された場合に、前記設定情報で指定される機能が、前記制限情報記憶手段に制限機能情報として記憶されているか否かについて判定する判定手段と、
前記サーバに設けられ、前記判定手段により前記制限情報記憶手段に制限機能情報として記憶されていると判定された場合に、前記設定情報を前記代替機能情報に変更する設定変更手段と、
前記サーバに設けられ、前記設定変更手段により設定された代替機能情報を前記電子機器に対して送信する第２の情報送信手段と、
前記電子機器に設けられ、前記第２の情報送信手段から送信された代替機能情報に基づいて、前記電子機器を制御する制御手段と、
を有することを特徴とする電子機器制御システム。
【請求項２】
前記電子機器がプリンタであることを特徴とする請求項１に記載の電子機器制御システム。
【請求項３】
クライアント端末と電子機器にネットワークを介して接続されるサーバであって、
前記クライアント端末を利用するユーザを識別するためのユーザアカウントと、前記電子機器の機能の使用を制限するための制限機能情報と、前記制限機能情報により制限される機能の代わりに使用する機能についての代替機能情報と、をそれぞれ対応付けて記憶する制限情報記憶手段と、
ユーザアカウントと、前記電子機器を利用する際に使用する機能を指定する設定情報とを前記クライアント端末から受信し、前記ユーザアカウントが前記制限情報記憶手段に記憶されているか否かについて検索する検索手段と、
前記検索手段により前記ユーザアカウントが検出された場合に、前記設定情報で指定される機能が、前記制限情報記憶手段に制限機能情報として記憶されているか否かについて判定する判定手段と、
前記判定手段により前記制限情報記憶手段に制限機能情報として記憶されていると判定された場合に、前記設定情報を前記代替機能情報に変更する設定変更手段と、
前記設定変更手段により設定された代替機能情報を前記電子機器に対して送信する第２の情報送信手段と、
を有することを特徴とするサーバ。
【請求項４】
前記電子機器がプリンタであることを特徴とする請求項３に記載のサーバ。
【発明の詳細な説明】
【技術分野】
【０００１】
本発明は、ネットワークに接続される電子機器の制御を行うための電子機器制御システム及びサーバに関する。
【背景技術】
【０００２】
従来から、プリンタのドライバを操作することにより、プリンタで印刷する際に利用する機能を制限する技術が知られている（特許文献１）。また、クライアント端末により指定された印刷設定が実現不可能な場合に、サーバで実現可能な設定に変更し直し、その後、クライアント端末によってプリンタで印刷する際に利用する機能を制限する技術が知られている（特許文献２）。
【特許文献１】特開２００４−２２０５３２号公報
【特許文献２】特開２００２−２１５３５３号公報
【発明の開示】
【発明が解決しようとする課題】
【０００３】
しかしながら、特許文献１では、プリンタにより印刷する際に利用する機能の制限は、クライアント端末にインストールするドライバを操作することにより行っていた。また、特許文献２では、サーバにおいてプリンタで利用する機能を変更した後に、クライアント端末でプリンタの制御を行っていた。このため、クライアント端末が利用するプリンタの機能を制限するために、ドライバやクライアント端末を個々に制御しなければならず、ネットワークに接続されるプリンタの管理を行うために、多くの労力を要するという問題があった。
【０００４】
本発明は、上記事情を考慮してなされたもので、その目的は、クライアント端末を使用するユーザが利用することができる電子機器の機能を、一元的に管理することができる電子機器制御システム及びサーバを提供することにある。
【課題を解決するための手段】
【０００５】
請求項１に記載の発明は、サーバとクライアント端末と電子機器がネットワークに接続される電子機器制御システムであって、前記サーバに設けられ、前記クライアント端末を利用するユーザを識別するためのユーザアカウントと、前記電子機器の機能の使用を制限するための制限機能情報と、前記制限機能情報により制限される機能の代わりに使用する機能についての代替機能情報と、をそれぞれ対応付けて記憶する制限情報記憶手段と、前記クライアント端末に設けられ、ユーザアカウントと、前記電子機器を利用する際に使用する機能を指定する設定情報とを、前記サーバに対して送信する第１の情報送信手段と、前記サーバに設けられ、前記第１の情報送信手段が送信した前記ユーザアカウントが前記制限情報記憶手段に記憶されているか否かについて検索する検索手段と、前記サーバに設けられ、前記検索手段により前記ユーザアカウントが検出された場合に、前記設定情報で指定される機能が、前記制限情報記憶手段に制限機能情報として記憶されているか否かについて判定する判定手段と、前記サーバに設けられ、前記判定手段により前記制限情報記憶手段に制限機能情報として記憶されていると判定された場合に、前記設定情報を前記代替機能情報に変更する設定変更手段と、前記サーバに設けられ、前記設定変更手段により設定された代替機能情報を前記電子機器に対して送信する第２の情報送信手段と、前記電子機器に設けられ、前記第２の情報送信手段から送信された代替機能情報に基づいて、前記電子機器を制御する制御手段とを有することを特徴とする電子機器制御システムである。
【０００６】
また、請求項２に記載の発明は、前記電子機器がプリンタであることを特徴とする請求項１に記載の電子機器制御システムである。
【０００７】
また、請求項３に記載の発明は、クライアント端末と電子機器にネットワークを介して接続されるサーバであって、前記クライアント端末を利用するユーザを識別するためのユーザアカウントと、前記電子機器の機能の使用を制限するための制限機能情報と、前記制限機能情報により制限される機能の代わりに使用する機能についての代替機能情報と、をそれぞれ対応付けて記憶する制限情報記憶手段と、ユーザアカウントと、前記電子機器を利用する際に使用する機能を指定する設定情報とを前記クライアント端末から受信し、前記ユーザアカウントが前記制限情報記憶手段に記憶されているか否かについて検索する検索手段と、前記検索手段により前記ユーザアカウントが検出された場合に、前記設定情報で指定される機能が、前記制限情報記憶手段に制限機能情報として記憶されているか否かについて判定する判定手段と、前記判定手段により前記制限情報記憶手段に制限機能情報として記憶されていると判定された場合に、前記設定情報を前記代替機能情報に変更する設定変更手段と、前記設定変更手段により設定された代替機能情報を前記電子機器に対して送信する第２の情報送信手段とを有することを特徴とするサーバである。
【０００８】
また、請求項４に記載の発明は、前記電子機器がプリンタであることを特徴とする請求項３に記載のサーバである。
【発明の効果】
【０００９】
本発明では、ユーザアカウント、制限機能情報、代替機能情報をそれぞれ対応付けてサーバに記憶しておき、クライアント端末を利用するユーザのユーザアカウントに応じて、使用が許可されていない電子機器の機能を他の機能に変更するようにした。
これにより、ユーザの誤操作により、クライアント端末で使用することが認められていない電子機器の機能を設定した場合であっても、代わりの機能に自動的に変更することができる。また、クライアント端末による使用を認める電子機器の機能を、クライアント端末ごとにサーバ側で一元的に管理することができる。
【発明を実施するための最良の形態】
【００１０】
以下、図面を参照し、本発明の実施形態による電子機器制御システムついて説明する。
図１は、本発明の実施形態による電子機器制御システムの概略構成図である。この電子機器制御システムは、サーバ１、クライアント端末２、プリンタ３により構成される。サーバ１、クライアント端末２、プリンタ３は、それぞれネットワーク４に接続されており、相互にデータ通信を行うことができる。
なお、本実施形態では、ネットワーク４にクライアント端末２とプリンタ３がそれぞれ１台ずつ接続されている場合について説明するが、このような構成に限定されるものではなく、ネットワーク４にクライアント端末２とプリンタ３をそれぞれ２台以上接続しても構わない。
【００１１】
図２は、本実施形態のサーバ１（図１参照）の構成を示すブロック図である。
サーバ１は、ドライバ要求信号受信手段１０、ドライバ読出手段１１、ドライバ取得手段１２、ドライバ記憶手段１３、ドライバ送信手段１４、印刷情報受信手段１５、印刷設定変更手段１６、制限情報取得手段１７、制限情報記憶手段１８、印刷情報送信手段１９を有する。
【００１２】
ドライバ取得手段１２は、ＣＤ（Compact Disk）−ＲＯＭ（Read Only Memory）ドライブなどの読取装置である。ドライバ取得手段１２は、プリンタ３を駆動するために必要なドライバのファイルが記憶されたＣＤなどから、プリンタ３のドライバのファイルを取得し、ドライバ記憶手段１３に出力する。
ドライバ記憶手段１３は、ドライバ取得手段１２から出力されるプリンタ３のドライバのファイルをＨＤ（Hard Disk）などの記録媒体に記録する。
【００１３】
ドライバ要求信号受信手段１０は、クライアント端末２からネットワーク４を介してドライバ要求信号を受信し、ドライバ読出手段１１に出力する。
ドライバ読出手段１１は、ドライバ要求信号受信手段１０から出力されたドライバ要求信号により指定されるプリンタ３のドライバのファイルを、ドライバ記憶手段１３から読み出して、ドライバ送信手段１４に出力する。
ドライバ送信手段１４は、ドライバ読出手段１１から出力されたプリンタ３のドライバのファイルを、ネットワーク４を介して、ドライバ要求信号を送信してきたクライアント端末２に対して送信する。
【００１４】
制限情報取得手段１７は、サーバ１のキーボードなどの入力機器により構成される。電子機器制御システムの管理者は、クライアント端末２を利用するユーザを識別するためのユーザアカウントと、プリンタ３の機能の使用を制限するための制限機能情報と、制限機能情報により制限される機能の代わりに使用する機能についての代替機能情報とを入力する。制限情報取得手段１７は、ユーザアカウント、制限機能情報、代替機能情報の各データを、制限情報記憶手段１８に出力する。
【００１５】
制限情報記憶手段１８は、制限情報取得手段１７から出力されるユーザアカウント、制限機能情報、代替機能情報を対応付けてＨＤなどの記憶媒体に記憶する。
制限情報記憶手段１８に記憶されるデータの一例を図３に示す。なお、プリンタ３は、印刷を行う際に利用可能な機能として、カラー印刷機能、高速印刷機能、ステイプラ機能、パンチ機能などを有する。制限情報記憶手段１８には図３に示すように、管理者の設定により、ユーザアカウント「０００１」に対応付けられて、制限機能情報として「カラー印刷機能」、代替機能情報として「モノクロ印刷機能」という情報が記録されている。また、ユーザアカウント「０００２」に対応付けられて、制限機能情報として「高速印刷機能」、代替印刷機能として「低速印刷機能」という情報が記録されている。また、ユーザアカウント「０００３」に対応付けられて、制限機能情報として「ステイプラ機能、パンチ機能」、代替機能情報として「ステイプラ機能不使用、パンチ機能不使用」という情報が記録されている。
【００１６】
図２において、印刷情報受信手段１５は、ネットワーク４を介してクライアント端末２から印刷情報を受信し、印刷設定変更手段１６に出力する。ここで、印刷情報は、プリンタ３で印刷する文書等についての印刷文書情報、その印刷文書情報を印刷する際に利用するプリンタ３の機能である印刷設定情報、ユーザアカウントの情報などを含む。
印刷設定変更手段１６は、検索手段、判定手段、設定変更手段から構成される。検索手段は、印刷情報受信手段１５が受信した印刷情報に含まれるユーザアカウントが、制限情報記憶手段１８に記憶されているかについて検索を行う。
【００１７】
判定手段は、検索手段が検索を行った結果、制限情報記憶手段１８にユーザアカウントが記憶されている場合に、印刷情報受信手段１５が受信した印刷情報に含まれる印刷設定情報が、制限機能情報として制限情報記憶手段１８に記憶されているかについて判定を行う。
設定変更手段は、印刷情報受信手段１５が受信した印刷情報に含まれる印刷設定情報が、制限機能情報として制限情報記憶手段１８に記憶されている場合に、印刷情報に含まれる印刷設定情報を、ユーザアカウントに対応する代替機能情報に変更し、印刷情報として印刷情報送信手段１９に出力する。
印刷情報送信手段１９は、印刷設定変更手段１６から出力される印刷情報を、クライアント端末２に対して、ネットワーク４を介して送信する。
【００１８】
図４は、本実施形態によるクライアント端末２（図１参照）の構成を示すブロック図である。クライアント端末２は、指示入力手段２０、ドライバ要求信号送信手段２１、ドライバ受信手段２２、ドライバ設定手段２３、印刷情報送信手段２４を有する。
指示入力手段２０は、クライアント端末２のキーボードなどの入力機器により構成される。指示入力手段２０は、サーバ１に対してドライバ要求信号を送信するためのドライバ要求信号送信命令、プリンタ３に対して印刷を行わせるための印刷命令を取得する。
【００１９】
ドライバ要求信号送信手段２１は、指示入力手段２０から出力されるドライバ要求信号送信命令を取得した場合に、クライアント端末２がプリンタ３を利用するために必要なドライバの送信を要求するドライバ要求信号を、ネットワーク４を介してサーバ１に送信する。
ドライバ受信手段２２は、サーバ１からネットワーク４を介して、プリンタ３のドライバのファイルを受信し、ドライバ設定手段２３に出力する。
ドライバ設定手段２３は、ドライバ受信手段２２から出力されるプリンタ３のドライバのファイルを取得し、クライアント端末２にインストールする。
印刷情報送信手段２４は、指示入力手段２０から出力される印刷命令を取得した場合に、印刷文書情報を、ネットワーク４を介してプリンタ３に送信する。
【００２０】
図５は、本実施形態によるプリンタ３（図１参照）の構成を示すブロック図である。プリンタ３は、印刷情報受信手段３０、印刷手段３１を有する。
印刷情報受信手段３０は、サーバ1からネットワーク４を介して、印刷情報を受信し、印刷手段３１に出力する。
印刷手段３１は、印刷情報受信手段３０から出力される印刷情報に含まれる印刷文書情報を紙に印刷して印刷物５として出力する。
【００２１】
次に、本実施形態による電子機器制御システムの処理の方法について説明する。
図６は、本実施形態による電子機器制御システムの処理を示すフローチャートである。
サーバ１は、ユーザアカウントと、制限機能情報と、代替機能情報を制限情報取得手段１７から取得する。制限情報記憶手段１８は、ユーザアカウントと、制限機能情報と、代替機能情報とを、それぞれ対応付けて記憶する（ステップＳ２１）。
また、サーバ１は、ドライバ取得手段１２から、ネットワーク４に接続されるプリンタ３のドライバのファイルを取得し、ドライバ記憶手段１３に記録する（ステップ２２）。
【００２２】
クライアント端末２の指示入力手段２０が、ドライバ要求信号送信命令を取得した場合には、ドライバ要求信号をドライバ要求信号送信手段２１から、ネットワーク４を介してサーバ１に送信する（ステップＳ１１）。
サーバ１のドライバ要求信号受信手段１０は、クライアント端末２から送信されたドライバ要求信号をネットワーク４を介して受信する（ステップＳ２３）。
【００２３】
ドライバ読出手段１１は、ドライバ要求信号で指定されるプリンタ３のドライバのファイルを、ドライバ記憶手段１３から読み出す（ステップＳ２４）。
ドライバ送信手段１４は、ドライバ記憶手段１３から出力されるプリンタ３のドライバのファイルをクライアント端末２に対して、ネットワーク４を介して送信する（ステップＳ２５）。
【００２４】
クライアント端末２のドライバ受信手段２２は、プリンタ３のドライバをネットワーク４を介して受信する（ステップＳ１２）。
ドライバ設定手段２３は、ドライバ受信手段２２から出力されるプリンタ３のドライバをクライアント端末２にインストールする（ステップＳ１３）。これにより、クライアント端末２において、ドライバをインストールしたプリンタ３の使用が可能となる。
【００２５】
クライアント端末２からプリンタ３で文書等の印刷を行う場合には、指示入力手段２０から印刷命令が入力される。印刷情報送信手段２４が、指示入力手段２０から印刷命令を取得した場合には、印刷文書情報、印刷設定情報、ユーザアカウントの情報を含む印刷情報をネットワーク４を介して、サーバ1に送信する（ステップＳ１４）。
サーバ1の印刷情報受信手段１５は、クライアント端末２からネットワーク４を介して、印刷情報を受信する（ステップＳ２６）。
【００２６】
印刷設定変更手段１６を構成する検索手段は、印刷情報受信手段１５から出力される印刷情報に含まれるユーザアカウントが、制限情報記憶手段１８に記憶されているか否かについて検索を行う。
印刷設定変更手段１６を構成する判定手段は、制限情報記憶手段１８にユーザアカウントが記憶されていた場合に、印刷情報に含まれる印刷設定情報で指定されるプリンタ３の機能が、制限情報記憶手段１８に制限機能情報として記憶されているか否かについて判定を行う（ステップＳ２７）。
【００２７】
印刷設定変更手段１６を構成する設定変更手段は、印刷設定情報で指定される機能が、制限情報記憶手段１８に記憶されている制限機能情報に記憶されていない場合には、ステップＳ２７で「Ｎｏ」と判定し、ステップＳ２９へ進む。一方、印刷設定情報で指定される機能が、制限情報記憶手段１８に記憶されている制限機能情報に記憶されている場合には、ステップＳ２７で「Ｙｅｓ」と判定し、印刷設定情報で指定される機能のうち制限機能情報により利用が制限されている機能を、制限情報記憶手段１８に記憶されている代替機能情報に変更して（ステップＳ２８）、印刷情報として印刷情報送信手段１９に出力する。
【００２８】
印刷情報送信手段１９は、印刷設定変更手段１６から出力される印刷情報をネットワーク４を介して、プリンタ３に送信する（ステップＳ２９）。
プリンタ３の印刷情報受信手段３０は、サーバ１から送信された印刷情報を受信する（ステップＳ３１）。
印刷手段３１は、印刷情報受信手段３０から出力された印刷情報に含まれる印刷設定情報により指定されるプリンタ３の機能（例えば、カラー印刷、高速印刷などの機能）を利用して、印刷情報に含まれる印刷文書情報を紙等の媒体に印刷し、印刷物５として出力する（ステップＳ３２）。
【００２９】
上述した本発明の実施形態による電子機器制御システムによれば、サーバ１により各ユーザごとに、利用可能なプリンタ３の機能を制御することが可能となり、電子機器制御システムの管理者等が容易にネットワーク４に接続されるプリンタ３の管理を行うことができる。
例えば、カラー印刷の機能が使用できないクライアント端末２の所有者であるユーザに対しては、制限機能情報として「カラー印刷機能」、代替機能情報として「モノクロ印刷機能」を設定することにより、クライアント端末２のユーザがプリンタ３でカラー印刷を利用して印刷することを要求した場合であっても、自動的にモノクロ印刷機能に設定を変更して印刷を行うことが可能になる。
【００３０】
また、高速印刷の機能が使用できないクライアント端末２の所有者であるユーザに対しては、制限機能情報として「高速印刷機能」、代替機能情報として「低速印刷機能」を設定することにより、クライアント端末２のユーザがプリンタ３で高速印刷（例えば、毎分６０枚印刷）を利用して印刷することを要求した場合であっても、自動的に低速印刷（例えば、毎分２０枚印刷）に設定を変更して印刷を行うことが可能になる。
【００３１】
また、ステイプラ機能やパンチ機能が使用できないクライアント端末２の所有者であるユーザに対しては、制限機能情報として「ステイプラ機能、パンチ機能」、代替機能情報として「ステイプラ機能不使用、パンチ機能不使用」を設定することにより、クライアント端末２のユーザがプリンタ３でステイプラ機能、パンチ機能を利用して印刷することを要求した場合であっても、自動的にステイプラ機能やパンチ機能を利用しないように設定を変更して印刷を行うことが可能になる。
【００３２】
また、クライアント端末２側ではなく、サーバ１側においてクライアント端末２のユーザに対するプリンタ３が有する機能の利用を許可するか否かについて判断することにした。このため、各々のクライアント端末２やそのクライアント端末２にインストールするプリンタ３のドライバの制御を行うよりも電子機器制御システムの管理者等の労力を軽減することができる。
【００３３】
なお、上述した実施形態においては、ネットワーク４に接続される電子機器がプリンタ３である場合について説明したが、これに限定されるものではない。例えば、サーバ１として家庭用のホームサーバを用い、電子機器としてビデオレコーダをネットワーク４に接続しても構わない。これにより、各々のＰＣ等のクライアント端末２に対して、ビデオレコーダの使用を許可する機能を、ホームサーバで一括して管理することができる。
【００３４】
なお、以上説明した実施形態において、ドライバ読出手段１１、ドライバ取得手段１２、印刷設定変更手段１６、制限情報取得手段１７、指示入力手段２０、ドライバ設定手段２３の機能を実現するためのプログラムをコンピュータ読み取り可能な記録媒体に記録して、この記録媒体に記録されたプログラムをコンピュータシステムに読み込ませ、実行することにより電子機器制御システムの処理を行ってもよい。なお、ここでいう「コンピュータシステム」とは、ＯＳや周辺機器等のハードウェアを含むものとする。
【００３５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３６】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００３７】
【図１】本発明の実施形態による電子機器制御システムの概略構成図である。
【図２】本実施形態のサーバ１の構成を示すブロック図である。
【図３】本実施形態の制限情報記憶手段１８に記憶されるデータの一例である。
【図４】本実施形態によるクライアント端末２の構成を示すブロック図である。
【図５】本実施形態によるプリンタ３の構成を示すブロック図である。
【図６】本実施形態による電子機器制御システムの処理を示すフローチャートである。
【符号の説明】
【００３８】
１・・・サーバ、２・・・クライアント端末、３・・・プリンタ、４・・・ネットワーク、５・・・印刷物、１０・・・ドライバ要求信号受信手段、１１・・・ドライバ読出手段、１２・・・ドライバ取得手段、１３・・・ドライバ記憶手段、１４・・・ドライバ送信手段、１５・・・印刷情報受信手段、１６・・・印刷設定変更手段、１７・・・制限情報取得手段、１８・・・制限情報記憶手段、１９・・・印刷情報送信手段、２０・・・指示入力手段、２１・・・ドライバ要求信号送信手段、２２・・・ドライバ受信手段、２３・・・ドライバ設定手段、２４・・・印刷情報送信手段、３０・・・印刷情報受信手段、３１・・・印刷手段
【図１】
2006172094.tif 000003
【図２】
2006172094.tif 000004
【図３】
2006172094.tif 000005
【図４】
2006172094.tif 000006
【図５】
2006172094.tif 000007
【図６】
2006172094.tif 000008